(57)【要約】【課題】薄肉にして軽量であり、しかも、保水性に優れて灌水を少なくできる緑化システムを提供する。【解決手段】保水性を有するマット１の上に、複数枚の蒸散抑制板２…が、隣り合う蒸散抑制板２…間に目地空間部４を形成するように設置されると共に、蒸散抑制板２…間の目地内に前記保水性マットの上面を底面とするように培地材５が設置され、該培地材５に植物６が植えられている。蒸散抑制板２…は例えば発泡ガラスからなる。【選択図】      図１
2004298050.tif 000002
【特許請求の範囲】
【請求項１】
保水性を有するマットの上に、複数枚の蒸散抑制板が、隣り合う蒸散抑制板間に目地空間部を形成するように設置されると共に、蒸散抑制板間の目地内に前記保水性マットの上面を底面とするように培地材が設置され、該培地材に植物が植えられていることを特徴とする緑化システム。
【請求項２】
前記蒸散抑制板が発泡ガラスからなる請求項１に記載の緑化システム。
【発明の詳細な説明】
【０００１】
【発明の属する技術分野】
本発明は、緑化システムに関する。
【０００２】
【従来の技術及び課題】
緑化システムにおいて、灌水を頻繁に行わなくてよく、しかも、軽量であることを求められる場合がある。そのような場合に、軽量化のため培地を薄くすると培地が早期に乾燥して保水量が確保されず、そのため、緑化に用いる植物が乾燥に強いセダム類などの多肉系の植物に限られてしまい、種々の植物を育てることができないという問題がある。また、薄肉で乾燥しやすい培地では、植物を種や苗木から生育するのが難しく、マット状に育成した植物を用いたり、トレイで育成した植物を敷き並べて緑化を行うなどしなければならず、コストが高くつくという問題もある。
【０００３】
本発明は、上記のような従来の問題点に鑑み、薄肉にして軽量であり、しかも、保水性に優れて灌水を少なくできる緑化システムを提供することを課題とする。
【０００４】
【課題を解決するための手段】
上記の課題は、保水性を有するマットの上に、複数枚の蒸散抑制板が、隣り合う蒸散抑制板間に目地空間部を形成するように設置されると共に、蒸散抑制板間の目地内に前記保水性マットの上面を底面とするように培地材が設置され、該培地材に植物が植えられていることを特徴とする緑化システムによって解決される。
【０００５】
この緑化システムでは、蒸散抑制板間の目地内に設置された培地材に含まれている水分が蒸散しても、保水性マットに含まれている水分が毛細管現象により培地材へと供給される。そして、この保水性マットの上には蒸散抑制板が設置されているため、保水性マットに含まれている水分の蒸散は抑えられ、それゆえ保水性マットが肉薄のものであっても保水性マットは乾燥しにくく、そのため、目地内の培地材に少ない灌水で長い間にわたって植物の育成に必要な水分を供給し続けることができる。こうして、薄肉にして軽量であり、しかも、保水性に優れて灌水を少なくできる緑化システムを実現することができる。
【０００６】
蒸散抑制板が発泡ガラスからなる場合は、廃棄ガラスのリサイクル処理に役立つと共に、ガラス製の蒸散抑制板でありながら発泡によって蒸散抑制板を軽量なものにすることができて緑化システムの軽量化に寄与することができる。
【０００７】
【発明の実施の形態】
次に、本発明の実施形態を図面に基づいて説明する。
【０００８】
図１に示す実施形態の緑化システムは、建物の屋上、例えば、軽量粗放緑化に用いた場合のもので、このシステムにおいて、１は保水性マット、２…は蒸散抑制板であり、保水性マット１は透根性を有するものであってもよいし、有さないものであってもよく、例えば不織布などからなる。また、蒸散抑制板２は、例えば発泡ガラスなどからなっていて、平面視正方形状をして複数枚備えられている。保水性マット１は、屋上の床面３上に設置され、蒸散抑制板２…は、隣り合う蒸散抑制板２…間に格子状の目地を形成するように保水性マット１上に設置される。そして、目地には、底面を保水性マット１の上面とする所定の深さの目地空間部４が形成され、この平面視格子状の目地空間部４内に不織布や土などによる培地材５が入れられ、この培地材５に植物６が植え付けられている。植物は種や苗の段階で培地材５に植えるようにしてよい。
【０００９】
上記の緑化システムでは、人工的な灌水を一度行い、蒸散抑制板２…の下部の保水性マット１や培地材５に水分を含ませておけば、蒸散抑制板２…間の目地空間部４内に設置された培地材５に含まれている水分が蒸散しても、保水性マット１に含まれている水分が毛細管現象により培地材５へと供給され、必要な水分が植物６に供給される。そして、給水源となる保水性マット１の上には蒸散抑制板２…が設置されているため、保水性マット１に含まれている水分の蒸散は抑えられ、それゆえ保水性マットは肉薄のものであっても乾燥しにくく、そのため、少ない灌水で長い間にわたって植物６の育成に必要な水分が供給され続け、こうして、薄肉にして軽量、しかも、保水性に優れて灌水を少なくできる緑化システムが実現される。従って、このように薄肉軽量な緑化システムでありながら、従来のような多肉系植物に限らず、蔦類や芝生、ハーブ等の各種植物による緑化を行っていくことができる。
【００１０】
図２（イ）は、植物の苗６ａを蒸散抑制板２…間の目地空間部４内の培地材５に植えつけた植栽初期段階を示しており、植物の苗６ａは風が吹いても蒸散抑制板２…に守られて吹き飛ばされることがなく、自然の中でスクスクと成長していくことができる。
【００１１】
図２（ロ）は、植物６の成長に伴って蒸散抑制板２…間の目地が植物６で覆い尽くされた状態を示し、図２（ハ）は植物６が這い植物である場合に、蒸散抑制板２…上も植物６で覆い尽くされた状態を示す。これらの状態で、蒸散抑制板２…上に雑草の種が落ちても発芽することはないし、仮に発芽してもすぐに枯れてしまい、雑草の生育を抑制することができる。
【００１２】
また、この緑化システムのメンテナンスでは、蒸散抑制板２…が踏圧に耐えるものであれば、蒸散抑制板２…上を歩行しながら保守作業を行うことができる。その場合に、植物６の根の主たる部分は、蒸散抑制板２…間の目地空間部４内に設置された培地材５内に存在しているので、蒸散抑制板２…に対する踏圧によって植物６を枯らしてしまうということもない。
【００１３】
以上に、本発明の実施形態を示したが、本発明はこれに限られるものではなく、発明思想を逸脱しない範囲で各種の変更が可能である。例えば、上記の実施形態では、蒸散抑制板２…が平面視正方形状のものである場合を示しているが、長方形状であってもよいし、三角形状のものや、五角形状以上の多角形状のものであってもよいし、円形状のものであってもよいし、これら平面形状の蒸散抑制板の二種以上を組み合わせたものであってもよい。また、保水性マットや蒸散抑制板、培地材の材質として、種々のものが用いられてよい。また、本発明の緑化システムは、屋上の床面のほか、地上のコンクリート面上など、各所に設置して用いることができるものであることはいうまでもない。
【００１４】
【発明の効果】
本発明の緑化システムは、以上のとおりのものであるから、薄肉にして軽量であり、しかも、保水性に優れて灌水を少なくできるものであるから、種々の植物を育成することができ、種や苗木からの生育も可能でコスト的に有利に植物を育てることができる。
【図面の簡単な説明】
【図１】実施形態の緑化システムを示すもので、図（イ）は平面図、図（ロ）は断面側面図である。
【図２】図（イ）〜図（ハ）は這い性植物の成長段階を順次に示す平面図である。
【符号の説明】
１…保水性マット
２…蒸散抑制板
４…目地空間部
５…培地材
６…植物
【図１】
2004298050.tif 000003
【図２】
2004298050.tif 000004